(57)【要約】【課題】解体処理された牛、豚等の動物の腸管を、腸内容物による汚れができる限り少ない状態で、切開洗浄処理する。【解決手段】解体された動物の腸管を長手方向に切開する切開装置と、該切開装置の下方に設けられた受け台と、該受け台の下方に設けられた洗浄ドラムとを備え、該切開装置は、該腸管を挿入する案内竿と、該案内竿の上方に設けられ該腸管を該案内竿に沿って移送させる移送装置と、該移送装置によって移送される該腸管を切開する切開装置と、該切開装置によって切開される該腸管の切開部にシャワーをかける第一シャワー装置とを備え、該受け台の底部には切開された該腸管を該洗浄ドラム内に落下させる底蓋が設けられ、該受け台の底部の該底蓋の周囲には該腸管の切開部からシャワーとともに脱落してきた腸内容物を該受け台の外に排出させる排出孔が設けられている。【選択図】図１
2009247228.tif 000002
【特許請求の範囲】
【請求項１】
解体分離された動物の腸管を長手方向に切開する切開装置と、該切開装置の下方に設けられた受け台と、該受け台の下方に設けられた洗浄ドラムとを備え、該切開装置は、該腸管を挿入する案内竿と、該案内竿の上方に設けられ該腸管を該案内竿に沿って移送させる移送装置と、該移送装置によって移送される該腸管を切開する切開装置と、該切開装置によって切開される該腸管の切開部にシャワーをかける第一シャワー装置とを備え、該受け台の底部には切開された該腸管を該洗浄ドラム内に落下させる底蓋が設けられ、該受け台の底部の該底蓋の周囲には該腸管の切開部からシャワーとともに脱落してきた腸内容物を該受け台の外に排出させる排出孔が設けられていることを特徴とする腸管切開洗浄装置。
【請求項２】
前記底蓋から前記洗浄ドラムに至る通路は前記排出孔から排出される前記腸内容物から隔離されていることを特徴とする請求項１に記載の腸管切開洗浄装置。
【請求項３】
切開されている前記腸管にシャワーをかける第二シャワー装置を備えていることを特徴とする請求項１又は２に記載の腸管切開洗浄装置。
【請求項４】
前記案内竿の先端部が前記受け台の底面の１５ｃｍ〜２５ｃｍ上方に設けられていることを特徴とする請求項１〜３のいずれかに記載の腸管切開洗浄装置。
【発明の詳細な説明】
【技術分野】
【０００１】
本発明は、豚、牛等の動物を解体処理して得られた腸管を長手方向に切開し、腸内容物を取り出して洗浄する腸管切開洗浄装置に関するものである。
【背景技術】
【０００２】
従来、豚、牛等の動物を解体処理して得られた腸管は、作業者がナイフ等で長手方向に切開し、腸内容物を水で洗い流し、腸管の内側と外側を水で良く洗浄し、食材に仕上げていた。
【０００３】
しかし、腸管の内容物は多くの雑菌を含む糞であり、汚くて臭いため、手作業による処理は作業者にとって苦痛を強いるものであり、しかも作業効率が非常に悪いという問題があった。
【０００４】
この改善策として、腸管を挿入する案内竿と、該案内竿の上方に設けられ腸管を挟持して後方へ移送する回転移送装置と、移送されてくる腸管を切開する切開装置とにより構成された切開処理部と、該切開処理部の下方に設けられた水槽と、該水槽の下方に連通して設けられた洗浄ドラムとを備えた腸管切開洗浄装置がある。
【０００５】
図５は従来の腸管切開洗浄装置の説明図、図６は従来の腸管切開洗浄装置の切開処理部の説明図、図７は従来の腸管切開洗浄装置の洗浄ドラム周辺の部分を側方から見た状態を示す説明図、図８は従来の腸管切開洗浄装置の洗浄ドラム周辺の部分を上方から見た状態を示す説明図である。
【０００６】
図５に示すように、切開処理部１０の下方には水槽１２が設けられている。この切開処理部１０は、図６に示すように、腸管１４４を嵌める案内竿１４と、案内竿１４の上部に設けられ腸管１４４を後方（回転刃１８の方向）に移送する回転移送装置である小歯車１６ａ，１６ｂ及び大歯車１６ｃと、その直後に配置され移送されてくる腸管１４４を切開する切開装置である回転刃１８とから構成されている。
【０００７】
回転移送装置である小歯車１６ａ，１６ｂ及び大歯車１６ｃは、装置本体の上部に設けられたモーター（図示せず）に連結され、腸管１４４を挟持して噛み合いながら回転するようになっている。そして、この回転移送装置により後方に移送される腸管１４４は、切開された後、開放されて水槽１２内に落下する。
【０００８】
水槽１２の底部には円形の移送孔１２ａが設けられており、切開された腸管１４４を下方に排出できるようにされている。移送孔１２ａの下方には円盤状の底蓋２０が設けられ移送孔１２ａを閉蓋できるようにされている。ここで底蓋２０には環状溝２０ａが形成されており、Ｏリング２０ｂが嵌め込まれ移送孔１２ａの周辺部と密着できるようにされている。更に、底蓋２０の下部には腕部２２が連結されており、その一端は、固定軸２２ａにより回転自在に軸支されており、他端には連結杵２４の下端が連結されている。
【０００９】
連結杵２４の上端は回転盤２６の円周端部に連結され、回転盤２６が回転することにより連結杵２４が上下動し、これに連動する腕部２２の上下動により底蓋２０を開閉できるようにされている。ここで回転盤２６は回動用モーター（図示せず）に連結されおり、回転盤２６の円周端部に設けられた２個の可動接点２６ａ，２６ｂが制御装置２８の固定接点２８ａと接離することにより回転を制御できるようにされている。
【００１０】
図７及び図８に示すように、水槽１２の下方には腸管受部３０が装置の後方に向かって下方に傾斜して設けられており、装置の後方下部に設けられた洗浄ドラム３４内に渡って連結されている。ここで、腸管受部３０は８本の棒状の鋼材とガイド板３２とによりその短手方向中央に向かって略Ｖ字状に配置して設けられている。これにより腸管受部３０に落下した切開済の腸管は一旦保持される際に余分な水切りができるようになっている。
【００１１】
円筒形の洗浄ドラム３４の前部及び後部の側面にはその周面に沿ってフランジ部３４ａ，３４ｂが設けられ、洗浄ドラム３４の両横に配置された２本のモーターローラ３６に周接して回動できるようにされている。
【００１２】
この切開洗浄装置は、以上のように構成したので、手作業による腸内容物１４６の除去及び洗浄工程を排除でき、作業者の労力を軽減し、作業効率を向上させることができるという優れた利点がある。
【００１３】
しかし、この切開洗浄装置では、図９に示すように、切開処理部１０の下方に設けられた水槽１２に切開洗浄の対象の腸管１４４が浮遊しており、腸管１４４を切開する際に腸内の糞、細菌等からなる内容物１４６が水槽１２内に落下し、水槽１２内の水をこれらの内容物１４６で汚して汚水１４８とし、汚水１４８内を浮遊している腸管１４４に腸内容物１４６が付着し、付着した内容物１４６、特に腸管１４４の油部に付着した内容物１４６や、腸管１４４の襞の隙間に入った内容物１４６が切開装置の下のドラム洗浄機や次の工程の洗浄機による洗浄で完全に除去できないという問題があった。
【００１４】
また、腸管１４４に付着した腸内容物１４６を完全に除去しようとして、切開された腸管１４４を切開装置の下のドラム洗浄機や次の工程の洗浄機によって長時間にわたって洗浄した場合、腸管１４４の軟らかい脆弱な部分が破損して取れてしまい、切開洗浄した腸管１４４の商品（食材）としての歩留まりが非常に悪くなるという問題があった。
【特許文献１】特開平７−４６９５８号公報
【発明の開示】
【発明が解決しようとする課題】
【００１５】
解決しようとする問題点は、従来の腸管切開洗浄装置では切開された腸管の腸内容物による汚れが洗浄によって十分に除去できない点である。
【課題を解決するための手段】
【００１６】
本発明は、切開処理された腸管の内容物による汚れをできる限り少なくするため、腸管内の内容物を切開の際にシャワーで洗浄除去し、洗浄した腸管に腸内容物をできるだけ再接触させないことを最も主な特徴とする。
【００１７】
すなわち、本発明は、解体分離された動物の腸管を長手方向に切開する切開装置と、該切開装置の下方に設けられた受け台と、該受け台の下方に設けられた洗浄ドラムとを備え、該切開装置は、該腸管を挿入する案内竿と、該案内竿の上方に設けられ該腸管を該案内竿に沿って移送させる移送装置と、該移送装置によって移送される該腸管を切開する切開装置と、該切開装置によって切開される該腸管の切開部にシャワーをかける第一シャワー装置とを備え、該受け台の底部には切開された該腸管を該洗浄ドラム内に落下させる底蓋が設けられ、該受け台の底部の該底蓋の周囲には該腸管の切開部からシャワーとともに脱落してきた腸内容物を該受け台の外に排出させる排出孔が設けられていることを特徴とする。
【００１８】
ここで、前記底蓋から前記洗浄ドラムに至る通路は前記排出孔から排出される前記腸内容物から隔離されていることが好ましい。また、切開されている腸管にシャワーをかける第二シャワー装置を備えていることが好ましい。更に、前記案内竿の先端部が前記受け台の底面の１５ｃｍ〜２５ｃｍ上方に設けられていることが好ましい。
【発明の効果】
【００１９】
本発明は、切開部にシャワーをかける第一シャワー装置を備え、該受け台が排出孔を備えているので、腸管の切開部から出てきた腸内容物がシャワーによって下方に洗い流され、シャワーによって下方に洗い流されてきた腸内容物が受け台の排出孔から、受け台上の腸管の油部や襞にからむことなく、直ちに外部に排出され、従って、極めてきれいな状態の切開腸管を得ることができるという利点がある。
【００２０】
そして、本発明は、洗浄ドラムで洗う前の段階で極めてきれいな切開腸管を得ることができるので、洗浄ドラムで切開腸管を長時間洗う必要がなく、従って、得られた切開腸管の歩留まりが非常に良くなるという利点がある。
【００２１】
また、本発明は、前記底蓋から前記洗浄ドラムに至る通路が前記排出孔から排出される前記腸内容物から隔離されている場合、切開腸管に前記腸内容物が混入するおそれがなくなるので、極めてきれいな状態の切開腸管を得ることができるという利点がある。
【００２２】
また、本発明は、切開されている腸管にシャワーをかける第二シャワー装置を備えている場合、腸管の切開作業中に飛び散って付着した腸内容物を腸管から直ちに洗い流すことができるので、極めてきれいな状態の切開腸管を得ることができるという利点がある。
【００２３】
また、本発明は、前記案内竿の先端部が前記受け台の底面の１５ｃｍ〜２５ｃｍ上方に設けた場合、切開作業の途中で腸管が切れ落ちず、切開作業の途中で腸管を再度案内竿に挿入する頻度が少なくなり、従って、腸管を面倒なく切開することができるという利点がある。
【発明を実施するための最良の形態】
【００２４】
できる限りきれいな状態の切開洗浄腸を得るという目的を、切開洗浄腸の歩留まりを悪化させることなく実現した。
【実施例１】
【００２５】
以下、本発明の一実施例を図面に基づいて説明する。図１は本発明に係る腸管切開洗浄装置の説明図、図２は本発明に係る腸管切開洗浄装置の受け台の斜視図、図３は本発明に係る腸管切開洗浄装置に腸管をセットした状態を示す説明図、図４は本発明に係る腸管切開洗浄装置で腸管を切開洗浄している状態を示す説明図である。
【００２６】
図１に示すように、切開処理部１１０の下方には受け台１１２が設けられている。この切開処理部１１０は、腸管の腸管を嵌める案内竿１１４と、案内竿１１４の上部に設けられ腸管を後方に移送する回転移送装置である小歯車１１６ａ，１１６ｂ及び大歯車１１６ｃと、その直後に配置され移送されてくる腸管を切開する切開装置である回転刃１１８とから構成されている。
【００２７】
回転移送装置である小歯車１１６ａ，１１６ｂ及び大歯車１１６ｃは、装置本体の上部に設けられたモーター（図示せず）に連結され、腸管を挟持して噛み合いながら回転するようにされている。そして、この回転移送装置により後方に移送される腸管は、切開された後、開放されて受け台１１２内に落下する。回転刃１１８の上方には第一シャワー装置１４０が設けられ、腸管の切開部にシャワーがかけられるようになっている。
【００２８】
受け台１１２の底部には、図２に示すように、円形の移送孔１１２ａが設けられており、切開された腸管を洗浄ドラム３４（図６、図７参照）に移送できるようにされている。また、受け台１１２の底部の移送孔１１２ａの周囲には腸管の切開部からシャワーとともに脱落してきた腸内容物を受け台１１２の外に排出させる排出孔１３８が複数個設けられている。
【００２９】
受け台１１２の形状は図２に示すような湾曲したものでもよいし、断面逆台形のものでもよいし、その形状には制限がない。ただ、どちらかというと、図２に示すような湾曲した形状の受け台１１２は、よじれている腸管を切開洗浄する場合に腸管塊が受け台１１２の上ですみやかに回転しながらちぎれずに切開される傾向が認められる。
【００３０】
案内竿１１４の先端部と受け台１１２の底面との間隔は１５ｃｍ〜２５ｃｍとなっている。案内竿１１４の先端部と受け台１１２の底面との間隔をこの程度の距離にしておくと、腸管の下方の部分の重み等で腸管がちぎれずに切開洗浄される。
【００３１】
移送孔１１２ａの下方には円盤状の底蓋１２０が設けられ移送孔１１２ａを閉蓋できるようにされている。ここで底蓋１２０には環状溝１２０ａが形成されており、Ｏリング１２０ｂが嵌め込まれ移送孔１１２ａの周辺部と密着できるようにされている。更に、底蓋１２０の下部には腕部１２２が連結されており、その一端は、固定軸１２２ａにより回転自在に軸支されており、他端には連結杵１２４の下端が連結されている。
【００３２】
連結杵１２４の上端は回転盤１２６の円周端部に連結され、回転盤１２６が回転することにより連結杵１２４が上下動し、これに連動する腕部１２２の上下動により底蓋１２０を開閉できるようにされている。ここで回転盤１２６は回動用モーター（図示せず）に連結されおり、回転盤１２６の円周端部に設けられた２個の可動接点１２６ａ，１２６ｂが制御装置１２８の固定接点１２８ａと接離することにより回転を制御できるようにされている。
【００３３】
受け台１１２の下方の構造は、図６及び図７に示す従来の腸管切開洗浄装置と同様の構造になっている。すなわち、受け台１１２の下方には腸管受部３０が装置の後方に向かって下方に傾斜して設けられており、装置の後方下部に設けられた洗浄ドラム３４内に渡って連結されている。ここで、腸管受部３０は８本の棒状の鋼材とガイド板３２とによりその短手方向中央に向かって略Ｖ字状に配置して設けられている。これにより腸管受部３０に落下した切開済の腸管は一旦保持される際に余分な水切りができるようにされている。
【００３４】
円筒形の洗浄ドラム３４の前部及び後部の側面にはその周面に沿ってフランジ部３４ａ，３４ｂが設けられ、洗浄ドラム３４の両横に配置された２本のモーターローラ３６に周接して回動できるようにされている。
【００３５】
次に、本実施例に係る腸管切開洗浄装置の作動及び効果について、図３及び図４を参照しながら説明する。
【００３６】
図３に示すように、まず、受け台１１２中の塊状の腸管の一端を案内杆１１４の先端に人手により供給すると、腸管が移送装置である小歯車１１６ａ，１１６ｂ及び大歯車１１６ｃにより回転刃１１８の方向に移送される。移送された腸管は、移送装置の進行方向に逆らって回転する回転刃１１８により管長方向に沿って切開される。
【００３７】
このとき、腸管内の内容物は、図４に示すように、案内杆１１４の噴出孔からでる水により、洗い落とされる。また、第一シャワー装置１４０からは腸管の切開部にシャワーがかけられており、腸管内の内容物１４６は噴出孔からでる水やシャワーとともに流れ落ち、受け台１１２の排出孔１３８から直ちに外に排出される。
【００３８】
回転刃１１８により切開された腸管は案内杆１１４の後端まで移送されて切開面から分かれて再び受け台１１２に落ちる。以上のように、切開作業は腸管が全長にわたり切開されるまで速やかに連続して行われる。
【００３９】
切開作業終了後、制御装置１２８のスイッチの操作により回転盤１２６が半回転し連結杵１２４を下方に押し下げ底蓋１２０を開蓋する。これにより受け台１１２中の腸管は腸管受部３０に落下して一旦保持され、水切りされた後、傾斜を伝って洗浄ドラム３４内に搬送され、洗浄ドラム３４で再び洗浄される（図７、図８参照）。
【００４０】
なお、腸管の切開作業中に腸内容物１４６が飛び散り、腸管の他の箇所に付着することがあるが、このようなおそれがある場合は腸管の切開部以外の箇所を洗い流す第二シャワー装置１４２を設けてその箇所にシャワーをかけておけば、飛び散った腸内容物１４６を洗い流すことができるので、極めてきれいな状態の切開洗浄腸を得ることができる。
【図面の簡単な説明】
【００４１】
【図１】本発明に係る腸管切開洗浄装置の説明図である。
【図２】本発明に係る腸管切開洗浄装置の受け台の斜視図である。
【図３】本発明に係る腸管切開洗浄装置に腸管をセットした状態を示す説明図である。
【図４】本発明に係る腸管切開洗浄装置で腸管を切開洗浄している状態を示す説明図である。
【図５】従来の腸管切開洗浄装置の説明図である。
【図６】従来の腸管切開洗浄装置の切開処理部の説明図である。
【図７】従来の腸管切開洗浄装置の洗浄ドラム周辺の部分を側方から見た状態を示す説明図である。
【図８】従来の腸管切開洗浄装置の洗浄ドラム周辺の部分を上方から見た状態を示す説明図である。
【図９】従来の腸管切開洗浄装置で腸管を切開洗浄している状態を示す説明図。
【符号の説明】
【００４２】
１１０  切開処理部
１１２  受け台
１１２ａ  移送孔
１１４  案内杆
１１６ａ，１１６ｂ  小歯車
１１６ｃ  大歯車
１１８  回転刃
１２０底蓋
１２０ａ  環状溝
１２０ｂ  リング
１２２腕部
１２２ａ  固定軸
１２４  連結杵
１２６  回転盤
１２６ａ，１２６ｂ  可動接点
１２８  制御装置
１２８ａ  固定接点
１３８  排出孔
１４０  第一シャワー装置
１４２  第二シャワー装置
１４４  腸管
１４６  腸内容物
【図１】
2009247228.tif 000003
【図２】
2009247228.tif 000004
【図３】
2009247228.tif 000005
【図４】
2009247228.tif 000006
【図５】
2009247228.tif 000007
【図６】
2009247228.tif 000008
【図７】
2009247228.tif 000009
【図８】
2009247228.tif 000010
【図９】
2009247228.tif 000011